(57)【特許請求の範囲】
【請求項１】
情報を表示する表示部と、
入力操作が行われる入力部と、
物または物性を検出対象とし、前記検出対象の検出を行う検出部と、
前記検出部による検出結果に基づいて、通常の電力消費を行う通常モードを、前記通常モードに対して消費電力を低減する第１の省エネルギーモードに変更する制御部と、を備えた携帯電子機器であって、
前記検出部は、対物センサ、照度センサ及び加速度センサを含み、
前記対物センサは、矩形状に形成された本体筐体の表面と裏面の少なくとも４隅部にそれぞれ配置され、前記照度センサは、前記本体筐体の表面、裏面及び各側面の６箇所にそれぞれ配置されており、
前記入力部からの入力操作がないことの判断基準となる、前記各センサの検出結果に対応した検出条件が設定され、
前記制御部は、前記検出部による検出結果が前記検出条件を満たしている時に、前記通常モードを前記第１の省エネルギーモードに変更することを特徴とする携帯電子機器。
【請求項２】
請求項１に記載の携帯電子機器であって、
前記本体筐体が折り畳み自在に構成されており、
前記検出部は、前記本体筐体の折り畳みを検出する折り畳みセンサを含むことを特徴とする携帯電子機器。
【請求項３】
請求項１に記載の携帯電子機器であって、
前記本体筐体が互いにスライド自在な第１筐体と第２筐体によって構成されており、
前記検出部は、前記本体筐体のスライド状態を検出するスライドセンサを含むことを特徴とする携帯電子機器。
【請求項４】
請求項１乃至３のうちいずれか１つに記載の携帯電子機器であって、
前記第１の省エネルギーモードでは、前記表示部における表示出力の出力レベルを低減、または前記表示出力をオフにすることを特徴とする携帯電子機器。
【請求項５】
請求項１乃至４のうちいずれか１つに記載の携帯電子機器であって、
前記通常モードを、消費電力を低減する第２の省エネルギーモードに変更するための省エネルギーモード変更時間が設定され、
前記制御部は、前記入力部からの入力操作がない状態で前記省エネルギーモード変更時間が経過した際、前記通常モードを前記第２の省エネルギーモードに変更することを特徴とする携帯電子機器。
【請求項６】
請求項５に記載の携帯電子機器であって、
制御部は、前記通常モードから前記第１の省エネルギーモードへの変更制御と、前記通常モードから前記第２の省エネルギーモードへの変更制御とを同時に行うことを特徴とする携帯電子機器。
【発明の詳細な説明】
【技術分野】
【０００１】
本発明は、携帯電子機器に関する。
【背景技術】
【０００２】
ユーザが手にして入力操作を行う携帯電子機器として、例えば、電子機器（テレビや照明機器など）の入力操作専用のリモートコントローラ（例えば、特許文献１参照）や、データの入出力を行う携帯電話機器や情報端末機器などが挙げられる。
【０００３】
特許文献１には、切り換えにより複数種類の電子機器の制御が可能な多機能のリモートコントローラが開示されている。このリモートコントローラでは、振動センサによる振動検出の有無により、消費電力の軽減を意味する省エネルギーを図っている。
【０００４】
このリモートコントローラによれば、ユーザが入力操作するためにリモートコントローラを取り上げた際に、リモートコントローラを取り上げたという動作を振動センサが検出する。この振動センサの検出がトリガとなり、リモートコントローラでは液晶ディスプレイやバックライトを点灯させる制御を行う。このように、振動センサの検出がリモートコントローラの始動制御に関係し、この制御動作により通常の電力を消費することになる。
【０００５】
その後、ユーザによる入力操作を終えて、リモートコントローラをテーブルに置くなどしてリモートコントローラの操作を終える。テーブルに置いた状態のリモートコントローラでは振動センサは振動を検出しない。この振動センサが振動を検出しない状態で一定時間が経過すると、リモートコントローラではユーザによる入力操作が終了したと判断して液晶ディスプレイおよびバックライトを消灯させる制御を行う。このように、リモートコントローラでは、液晶ディスプレイおよびバックライトを消灯させるという省エネルギーの制御動作を行う。
【０００６】
上記の通り、リモートコントローラでは、振動センサによる振動検出無しの状態が一定時間経過したか否かを条件として、通常の消費電力から省エネルギーの消費電力に消費電力の変更を行う。
【先行技術文献】
【特許文献】
【０００７】
【特許文献１】特開平１０−３０４４８０号公報
【発明の概要】
【発明が解決しようとする課題】
【０００８】
しかしながら、上記の特許文献１に記載の従来技術の場合、ユーザによる入力操作を終えた後、液晶ディスプレイおよびバックライトを消灯させるまでに一定時間を要することになるが、この一定時間の間、通常の電力を消費している。
【０００９】
つまり、ユーザによる入力操作を終えた後に、携帯電子機器がユーザによって入力操作されない状態にある場合であっても（例えば、携帯電子機器を机に置いたり、鞄にしまったりするなど）、一定期間の間、通常の電力を消費する。これは、上記の特許文献１に記載の従来技術では、時間を用いた省エネルギーを行っているために、一定期間の通常の電力の消費はどうしても避けることができない。
【００１０】
そこで、上記課題を解決するために、本発明は、ユーザによる携帯電子機器の入力操作を終えた後に、携帯電子機器がユーザによって入力操作されない状態にある場合、一定時間待つことなく省エネルギーを行うことができる携帯電子機器を提供することを目的とする。
【課題を解決するための手段】
【００１１】
上記の目的を達成するため、本発明にかかる携帯電子機器は、情報を表示する表示部と、入力操作が行われる入力部と、物または物性を検出対象とし、前記検出対象の検出を行う検出部と、前記検出部による検出結果に基づいて、通常の電力消費を行う通常モードを、前記通常モードに対して消費電力を低減する第１の省エネルギーモードに変更する制御部と、を備えた携帯電子機器であって、前記検出部は、対物センサ、照度センサ及び加速度センサを含み、前記対物センサは、矩形状に形成された本体筐体の表面と裏面の少なくとも４隅部にそれぞれ配置され、前記照度センサは、前記本体筐体の表面、裏面及び各側面の６箇所にそれぞれ配置されており、前記入力部からの入力操作がないことの判断基準となる、前記各センサの検出結果に対応した検出条件が設定され、前記制御部は、前記検出部による検出結果が前記検出条件を満たしている時に、前記通常モードを前記第１の省エネルギーモードに変更することを特徴とする。
【００１２】
本発明によれば、前記表示部と前記入力部と前記検出部と前記制御部とを備えているので、ユーザによる携帯電子機器の入力操作を終えた後に、当該携帯電子機器がユーザによって前記入力部から入力操作されない状態、すなわち前記入力部からの入力操作がない状態にある場合、一定時間待つことなく、すぐに省エネルギーを行うことが可能となる。すなわち、本発明によれば、ユーザが当該携帯電子機器の入力操作を止めた後の経過時間に関係なく、前記検出部による検出結果のみに基づいて前記第１の省エネルギーモードにすることが可能となり、従来技術の省エネルギーに対して、効率よく省エネルギーを行うことが可能となる。
【００１３】
前記構成において、前記本体筐体が折り畳み自在に構成されている場合、前記検出部は、前記本体筐体の折り畳みを検出する折り畳みセンサを含む構成としてもよい。また、前記本体筐体が互いにスライド自在な第１筐体と第２筐体によって構成されている場合、前記検出部は、前記本体筐体のスライド状態を検出するスライドセンサを含む構成としてもよい。
【００１４】
この場合、前記制御部は、前記検出部による検出結果が前記検出条件を満たしている時に、前記通常モードを前記第１の省エネルギーモードに変更するので、精度よく省エネルギーを行うことが可能となる。
【００１５】
前記構成において、前記第１の省エネルギーモードでは、前記表示部における表示出力の出力レベルを低減、または前記表示出力をオフにしてもよい。
【００１６】
この場合、前記第１の省エネルギーモードでは、前記表示部における表示出力の出力レベルを低減、または前記表示出力をオフにするので、当該携帯電子機器がユーザによって入力操作されない状態にある時の前記表示部における表示出力による電力消費を抑えることが可能となる。
【００１７】
前記構成において、前記表示部以外に、外部出力を行う出力部を備え、前記第１の省エネルギーモードでは、前記出力部からの外部出力の出力レベルを低減、または前記外部出力をオフにしてもよい。ここでいう前記出力部は、前記表示部以外の当該携帯電子機器の他の構成部材に備えられたものであり、前記出力部からの外部出力とは、ユーザの視覚に訴える外部出力のことをいい、例えば、光出力が挙げられる。
【００１８】
この場合、前記第１の省エネルギーモードでは、前記出力部からの外部出力の出力レベルを低減、もしくは前記外部出力をオフにするので、当該携帯電子機器がユーザによって入力操作されない状態にある時の前記出力部からの外部出力による電力消費を抑えることが可能となる。
【００２０】
前記構成において、前記通常モードを消費電力を低減する第２の省エネルギーモードに変更するための省エネルギーモード変更時間が設定され、前記制御部は、前記入力部からの入力操作がない状態で前記省エネルギーモード変更時間を経過した際、前記通常モードを前記第２の省エネルギーモードに変更してもよい。
【００２１】
この場合、さらに、前記制御部は、前記入力部からの入力操作がない状態で前記省エネルギーモード変更時間を経過した際、前記通常モードを前記第２の省エネルギーモードに変更するので、従来技術の省エネルギー対応も行うことが可能となる。その結果、省エネルギーの自由度を高めることが可能となり、省エネルギー対策としてより好ましい。
【００２２】
前記通常モードと、前記第１の省エネルギーモードと、前記第２の省エネルギーモードとの関係について、前記構成において、制御部は、前記通常モードから前記第１の省エネルギーモードへの変更制御と、前記通常モードから前記第２の省エネルギーモードへの変更制御とを同時に行ってもよい。もしくは、制御部は、前記通常モードから前記第１の省エネルギーモードへの変更制御と、前記通常モードから前記第２の省エネルギーモードへの変更制御とを同時に行い、前記通常モードからいずれか一方の省エネルギーモードへの変更を行ってもよい。
【００２３】
この場合、前記第１の省エネルギーモードと、前記第２の省エネルギーモードとを共存させることが可能となり、多種多様な使用状態が想定される当該携帯電子機器に対して望ましい省エネルギー対策となる。
【発明の効果】
【００２４】
本発明によれば、ユーザによる携帯電子機器の入力操作を終えた後に当該携帯電子機器がユーザによって入力操作されない状態にある場合、一定時間待つことなく省エネルギーを行うことが可能となる。
【図面の簡単な説明】
【００２５】
【図１】図１は、図１（ａ）〜図１（ｆ）から構成され、本実施の形態１にかかる携帯電子機器の概略構成を示した六面図である。図１（ａ）は、当該携帯電子機器の概略平面図である。図１（ｂ）は、当該携帯電子機器の概略裏面図である。図１（ｃ）は、当該携帯電子機器の概略右側面図である。図１（ｄ）は、当該携帯電子機器の概略左側面図である。図１（ｅ）は、当該携帯電子機器の概略上面図である。図１（ｆ）は、当該携帯電子機器の概略下面図である。
【図２】図２は、本実施の形態１にかかる携帯電子機器の概略構成を示したブロック図である。
【図３】図３は、本実施の形態１にかかる携帯電子機器での通常モードから省エネルギーモードへの変更を示すフローチャート図である。
【図４】図４は、図４（ａ）〜図４（ｆ）から構成され、本実施の形態２にかかる携帯電子機器の概略構成を示した六面図である。図４（ａ）は、当該携帯電子機器の概略平面図である。図４（ｂ）は、当該携帯電子機器の概略裏面図である。図４（ｃ）は、当該携帯電子機器の概略右側面図である。図４（ｄ）は、当該携帯電子機器の概略左側面図である。図４（ｅ）は、当該携帯電子機器の概略上面図である。図４（ｆ）は、当該携帯電子機器の概略下面図である。
【図５】図５は、本実施の形態２にかかる携帯電子機器の概略構成を示したブロック図である。
【図６】図６は、図６（ａ）〜図６（ｆ）から構成され、本実施の形態３にかかる携帯電子機器の概略構成を示した六面図である。図６（ａ）は、当該携帯電子機器の概略平面図である。図６（ｂ）は、当該携帯電子機器の概略裏面図である。図６（ｃ）は、当該携帯電子機器の概略右側面図である。図６（ｄ）は、当該携帯電子機器の概略左側面図である。図６（ｅ）は、当該携帯電子機器の概略上面図である。図６（ｆ）は、当該携帯電子機器の概略下面図である。
【図７】図７は、本実施の形態３にかかる携帯電子機器の概略構成を示したブロック図である。
【図８】図８は、図８（ａ）〜図８（ｆ）から構成され、本実施の形態４にかかる携帯電子機器の概略構成を示した六面図である。図８（ａ）は、当該携帯電子機器の概略平面図である。図８（ｂ）は、当該携帯電子機器の概略裏面図である。図８（ｃ）は、当該携帯電子機器の概略右側面図である。図８（ｄ）は、当該携帯電子機器の概略左側面図である。図８（ｅ）は、当該携帯電子機器の概略上面図である。図８（ｆ）は、当該携帯電子機器の概略下面図である。
【図９】図９は、本実施の形態４にかかる携帯電子機器の概略構成を示したブロック図である。
【図１０】図１０は、図１０（ａ）〜図１０（ｆ）から構成され、本実施の形態５にかかる携帯電子機器の概略構成を示した六面図である。図１０（ａ）は、当該携帯電子機器の概略平面図である。図１０（ｂ）は、当該携帯電子機器の概略裏面図である。図１０（ｃ）は、当該携帯電子機器の概略右側面図である。図１０（ｄ）は、当該携帯電子機器の概略左側面図である。図１０（ｅ）は、当該携帯電子機器の概略上面図である。図１０（ｆ）は、当該携帯電子機器の概略下面図である。
【図１１】図１１は、本実施の形態５にかかる携帯電子機器の概略構成を示したブロック図である。
【図１２】図１２は、図１２（ａ）〜図１２（ｆ）から構成され、本実施の形態６にかかる携帯電子機器の概略構成を示した六面図である。図１２（ａ）は、当該携帯電子機器の概略平面図である。図１２（ｂ）は、当該携帯電子機器の概略裏面図である。図１２（ｃ）は、当該携帯電子機器の概略右側面図である。図１２（ｄ）は、当該携帯電子機器の概略左側面図である。図１２（ｅ）は、当該携帯電子機器の概略上面図である。図１２（ｆ）は、当該携帯電子機器の概略下面図である。
【図１３】図１３は、本実施の形態６にかかる携帯電子機器の概略構成を示したブロック図である。
【図１４】図１４は、本実施の形態７にかかる携帯電子機器の概略構成図である。
【図１５】図１５は、図１５（ａ）〜図１５（ｆ）から構成され、本実施の形態７にかかる携帯電子機器の概略構成を示した六面図である。図１５（ａ）は、当該携帯電子機器の概略平面図である。図１５（ｂ）は、当該携帯電子機器の概略裏面図である。図１５（ｃ）は、当該携帯電子機器の概略右側面図である。図１５（ｄ）は、当該携帯電子機器の概略左側面図である。図１５（ｅ）は、当該携帯電子機器の概略上面図である。図１５（ｆ）は、当該携帯電子機器の概略下面図である。
【図１６】図１６は、本実施の形態７にかかる携帯電子機器の概略構成を示したブロック図である。
【発明を実施するための形態】
【００２６】
以下、本発明の実施の形態について図面を参照して説明する。なお、以下に示す実施の形態では、携帯電子機器を、映像機器のリモートコントローラに適用した場合を示す。
【００２７】
＜実施の形態１＞
本実施の形態１にかかる携帯電子機器１は、可搬型の電子機器であり、図１（図１（ａ）〜図１（ｆ））に示すように、直方体（ストレート形状）の本体筺体１１からなり、各種情報を表示する表示部２と、ユーザが入力操作を行う入力部３と、物や物性を検出対象とし、検出対象の検出を行う検出部４と、が設けられている。
【００２８】
表示部２は、液晶ディスプレイであり、図１（ａ）に示すように表面１２の上部に配されている。
【００２９】
入力部３は、４つのボタン３１〜３４から構成され、図１（ａ）に示すように、本体筺体１１の表面１２の下部にマトリックス（Ｘ方向×Ｙ方向：２×２）に配されている。ボタン３１，３２は、本体筺体１１の短手方向（Ｘ方向）に並んで表面１２に配され、ボタン３１，３２の高さ（ボタン厚）は、図１（ａ），図１（ｃ）〜図１（ｆ）に示すようにボタン３３，３４の高さよりも低い。また、ボタン３３，３４は、ボタン３１，３２に対して表面１２の下方に本体筺体１１の短手方向（Ｘ方向）に並んで配されている。また、ボタン３１，３３は、本体筺体１１の長手方向（Ｙ方向）に並んで表面１２に配され、ボタン３２，３４は、長手方向（Ｙ方向）に並んで配されている。また、ボタン３１〜３４には、ＬＥＤなどの光源からなり、光による外部出力（光出力）を行う出力部（図示省略）が設けられている。
【００３０】
検出部４は、本体筺体１１の表面１２および裏面１３に配された１０この対物センサ４０１〜４１０（図１に示す斜線部分参照）と、本体筺体１１の各面（図１に示す表面１２，裏面１３，右側面１４，左側面１５，上面１６，下面１７）に配された６つの照度センサ４２１〜４２６（図１に示すドット部分参照）と、本体筺体１１の内部に内蔵された１つの加速度センサ４３（内蔵のため図１では符号省略、図２参照）とから構成されている。
【００３１】
対物センサ４０１〜４０４は、本体筺体１１の表面１２の表示部２を囲むように表示部２の四隅に配され、対物センサ４０３〜４０６は、本体筺体１１の表面１２の入力部３を囲むように入力部３の四隅に配され、対物センサ４０７〜４１０は、本体筺体１１の裏面１３の四隅にそれぞれ配されている。このように、対物センサ４０１〜４０６は、本体筺体１１や、表示部２および入力部３の配置に関連付けされており、そのため、少なくとも表示部２および入力部３が配された表面１２に配されている。
【００３２】
対物センサ４０１〜４１０による検出は、物体の存在を検出したか否かである。本実施の形態１にかかる対物センサ４０１〜４１０では、ユーザの入力部３による入力が不可能になる物体（障害物）を検出するか否かを検出基準とする。例えば、入力部３上や、入力部３の直近（直上）に本や雑誌などの障害物がある場合、対物センサ４０１〜４１０は障害物を検出する。なお、障害物は、本や雑誌に限定されるものではない。
【００３３】
照度センサ４２１〜４２６は、図１（ａ）〜図１（ｆ）に示すように本体筺体１１の各面１２〜１７全ての中央部に配されている。このように、照度センサ４２１〜４２６は、各面１２〜１７にそれぞれ対応して配されている。
【００３４】
照度センサ４２１〜４２６による検出は、照度を測定し、測定した照度が予め設定した基準値（例えば、５０ルクス（街灯の照度））以上、もしくは基準値以下であるか否かである。本実施の形態１にかかる照度センサ４２１〜４２６では、遮光されているか否か、つまり照度が０であるか否かを検出基準とする。例えば、照明機器の点灯／消灯や、鞄などの収納物への携帯電子機器１の出し入れを行った際、照度センサ４２１〜４２６で検出する照度が０であるか否かを検出する。
【００３５】
加速度センサ４３は、本体筺体１１に１つ配されていればよく、本実施の形態１では本体筺体１１の内部に配されている。なお、本実施の形態１では、加速度センサ４３が本体筺体１１に内蔵されているが、加速度センサ４３の位置は任意に設定可能である。
【００３６】
加速度センサ４３は、当該加速度センサ４３で測定した加速度によって携帯電子機器１の向きや位置を検出する。
【００３７】
また、携帯電子機器１には、図２に示すように、通常の電力消費を行う通常モードから、通常の電力消費に対して消費電力を低減する省エネルギーモードに、電力モードの切替制御（変更）を行う制御部５が備えられている。省エネルギーモードは、検出制御（下記参照）をモード変更の対象とする第１の省エネルギーモードと、経過時間制御（下記参照）をモード変更の対象とする第２の省エネルギーモードで構成されている。本実施の形態にかかる通常モードから省エネルギーモードへの変更による省エネルギーとは、表示部２における表示出力や、入力部３の出力部から出力される光出力をオンからオフにすることである。このように、本実施の形態では、表示部２と入力部３（具体的には出力部）が、省エネルギーの対象となっている。また、携帯電子機器１では、第１の省エネルギーモードに関連して、入力部３からの入力操作がないことの判断基準となる検出条件（下記の検出条件１−１〜１−７参照）が設定されている。
【００３８】
なお、図２に示す入力部３から制御部５への信号は、ユーザの入力操作による入力信号を示す。このように、制御部５では、電力モードの切替制御以外の携帯電子機器１の各種制御を行っていることは言うまでもなく、電力モードの切替制御以外の携帯電子機器１の各種制御についてのここでの説明は省略する。
【００３９】
図２を参照して、制御部５には、対物センサ４０１〜４１０と、照度センサ４２１〜４２６と、加速度センサ４３とから検出の信号が送られる。制御部５は、検出部４（対物センサ４０１〜４１０、照度センサ４２１〜４２６、加速度センサ４３）から取得した検出の信号に基づき、検出部４による検出結果（すなわち、対物センサ４０１〜４１０、照度センサ４２１〜４２６、加速度センサ４３における検出の有無）が、検出条件を満たしている時に、通常モードを第１の省エネルギーモードに変更する。そして、第１の省エネルギーモードに基づく出力信号を表示部２と入力部３に送信し、表示部２での表示出力と、入力部３での光出力をオフにする。
【００４０】
上記の通り、第１の省エネルギーモードは、検出部４による検出結果のみに基づいて省エネルギーを行うモードであり、この第１の省エネルギーモードにおける制御のことを検出制御という。
【００４１】
また、省エネルギーモードは、検出部４を用いた検出のみによって制御部５を制御動作させる第１の省エネルギーモードの他に、経過時間制御によって制御部５を制御動作させる第２の省エネルギーモードがある。
【００４２】
第２の省エネルギーモードの経過時間制御は、入力部３からの入力操作がない状態で一定時間が経過したことを制御条件として、入力部３からの入力操作を終えた後の表示部２の表示出力や入力部３の光出力のオフを、この制御条件を満たした場合に行う制御のことである。この経過時間制御では、入力部３からの入力操作を終えた後、入力部３からの入力操作がない状態の経過時間を用いている。そのため、経過時間制御による第２の省エネルギーモードに関して、通常モードを第２の省エネルギーモードに変更するための省エネルギーモード変更時間が制御部５において設定される。この省エネルギーモード変更時間は、入力部３からの入力操作がない状態の経過時間に対応するものであり、制御部５は、入力部３からの入力操作が行われた後であって省エネルギーモード変更時間を経過した際に通常モードを第２省エネルギーモードに変更する。そして、制御部５は、第２の省エネルギーモードに変更する出力信号を、表示部２と入力部３とに送信し、この送信により、表示部２と入力部３とでは、表示部２での表示出力と入力部３での光出力とをオフにする。
【００４３】
上記の通り、第２の省エネルギーモードは、入力部３からの入力操作がない状態の経過時間に基づいて省エネルギーを行うモードである。
【００４４】
また、上記の電力モードを有する携帯電子機器１では、ユーザによる入力部３からの入力操作を終えた後に、制御部５により検出制御と経過時間制御とを同時に行う。
【００４５】
具体的には、入力部３からの入力操作を終えた後に、携帯電子機器１がユーザによって入力操作されない状態にある場合（例えば、携帯電子機器１を机に置く場合や、携帯電子機器１をポケットや鞄に入れる場合など）、制御部５では、検出部４の検出結果のみに基づいて携帯電子機器１がユーザによって入力操作されない状態である（すなわち、携帯電子機器１がユーザによって入力操作されない状態である）と判断して検出制御を行い、この検出制御によって通常モードを省エネルギーモード（第１の省エネルギーモード）に変更する。
【００４６】
一方、ユーザによる入力部３からの入力操作を終えた後、携帯電子機器１がユーザによって入力操作される可能性がある場合（ユーザが携帯電子機器１を操作し終えた後であっても、ユーザが未だ携帯電子機器１を手にして表示部２における表示出力を見ているなど）、制御部５では、検出部４の検出結果のみに基づいて携帯電子機器１がユーザによって入力操作される状態であると判断して、経過時間制御によって通常モードを省エネルギーモード（第２の省エネルギーモード）に変更する。
【００４７】
このように、携帯電子機器１では、制御部５により検出制御と経過時間制御とを同時に行い、通常モードから、第１の省エネルギーモードと第２の省エネルギーモードとのいずれか一方の省エネルギーモードへの変更を行うことができる。このように、携帯電子機器１によれば、自由度の高い省エネルギーが可能となる。
【００４８】
上記の携帯電子機器１の電力モードの切替制御（変更）に関して、図３を用いてさらに説明する。
【００４９】
電源が入った状態にある携帯電子機器１に対して、ユーザによる入力部３からの入力操作がある場合（ステップＳＴ１でＹｅｓ）、通常モードとなり通常の電力消費を行う。そして、ユーザが入力操作をし終えると（ステップＳＴ１でＹｅｓ）、検出部４による検出があるか否かを制御部５において判断する（ステップＳＴ２）。この時、表示部２における表示出力、および入力部３の光出力はオンとなっている。
【００５０】
ステップＳＴ２において、検出部４による検出がない場合（ステップＳＴ２でＮｏ）、すなわち、ユーザが未だ表示部２における表示出力を見ているなど、携帯電子機器１がユーザによって入力操作される可能性がある状態にある場合、経過時間制御のみを行い、省エネルギーモード変更時間を経過したか否かを判断する（ステップＳＴ３）。
【００５１】
ステップＳＴ３において、省エネルギーモード変更時間を経過した場合、通常モードを省エネルギーモード（第２の省エネルギーモード）に変更し、表示部２における表示出力、および入力部３の光出力を同時にオフにする。
【００５２】
一方、ステップＳＴ３において、省エネルギーモード変更時間を経過していない時（ステップＳＴ３でＮｏ）、制御部５において、ユーザによる入力操作があるか否か、および検出部４による検出があるか否かを繰り返し判断する（ステップＳＴ１またはステップＳＴ２）。
【００５３】
次に、ステップＳＴ２において、検出部４による検出があると（ステップＳＴ２でＹｅｓ）、検出条件を満たしているか否かを判断する（ステップＳＴ４）。
【００５４】
ステップＳＴ４において、検出条件を満たしている場合（ステップＳＴ４でＹｅｓ）、通常モードを省エネルギーモード（第１の省エネルギーモード）に変更し、表示部２における表示出力、および入力部３の光出力を同時にオフにする。この時、制御部５では、電力モードを通常モードから第１の省エネルギーモードに変更する。
【００５５】
一方、ステップＳＴ４において、検出条件を満たしていない場合（ステップＳＴ４でＮｏ）、省エネルギーモード変更時間を経過したか否かを判断する（ステップＳＴ３）。そして、ステップＳＴ３において上記の経過時間制御の判断を行う。
【００５６】
なお、ステップＳＴ４でいう検出条件には、以下に示す検出条件１−１〜１−７があり、いずれか１つの検出条件を満たせばよい。なお、ステップＳＴ４において検出条件を満たしていると判断した場合、即時に通常モードを第１の省エネルギーモードに変更する。
【００５７】
検出条件１−１：対物センサ４０１〜４１０が非検出であり、かつ、加速度センサ４３にて表面１２が垂直下方向に向いていることを検出した場合、検出条件を満たしていると判断する。この場合、ユーザが携帯電子機器１を手に持っていることなどが想定される。
【００５８】
検出条件１−２：対物センサ４０１〜４０６が検出であり、対物センサ４０７〜４１０が非検出であり、かつ、加速度センサ４３にて表面１２が垂直下方向に向いていることを検出した場合、検出条件を満たしていると判断する。この場合、携帯電子機器１を、その表面１２を机上に向けて机に置いていることなどが想定される。
【００５９】
検出条件１−３：対物センサ４０１〜４１０が検出であり、かつ、加速度センサ４３にて表面１２が垂直上方向に向いていることを検出した場合、検出条件を満たしていると判断する。この場合、携帯電子機器１の表面１２上に障害物（雑誌など）が置かれていることなどが想定される。
【００６０】
検出条件１−４：対物センサ４０１，４０２，４０５，４０６が検出であり、かつ、加速度センサ４３にて表面１２が垂直上方向に向いていることを検出した場合、検出条件を満たしていると判断する。この場合、表示部２上に障害物（雑誌など）が置かれていることなどが想定される。
【００６１】
検出条件１−５：対物センサ４０３〜４０６が検出であり、かつ、加速度センサ４３にて表面１２が垂直上方向に向いていることを検出した場合、検出条件を満たしていると判断する。この場合、入力部３上に障害物（雑誌など）が置かれていることなどが想定される。
【００６２】
検出条件１−６：照度センサ４２１〜４２６において照度が無いこと（照度が０であること）を検出した場合、検出条件を満たしていると判断する。この場合、照度が０である（例えば消灯された）空間内に携帯電子機器１が置かれていることなどが想定される。
【００６３】
検出条件１−７：対物センサ４０１〜４１０が検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【００６４】
なお、上記の検出条件１−１〜１−７は、入力部３からの入力操作がないことの条件であり、これらは好適な例であり、検出条件は、検出条件１−１〜１−７に限定されるものではなく、入力部３からの入力操作がないと判断できる検出部４の他の検出に基づく条件であってもよい。
【００６５】
本実施の形態１にかかる携帯電子機器１によれば、表示部２と入力部３と検出部４と制御部５とを備えているので、ユーザによる携帯電子機器１の入力操作を終えた後に、携帯電子機器１がユーザによって入力操作されない状態にある状態、すなわち入力部３からの入力操作がない状態にある場合（上記の検出条件１−１〜１−７参照）、一定時間待つことなく、すぐに省エネルギーを行うことができる。すなわち、本実施の形態によれば、ユーザが携帯電子機器１の入力操作を止めた後の経過時間に関係なく、検出部４による検出結果のみに基づいて第１の省エネルギーモードにすることができ、従来技術の省エネルギーに対して、効率よく省エネルギーを行うことができる。
【００６６】
また、制御部５は、検出部４による検出結果が検出条件を満たしている時に、通常モードを第１の省エネルギーモードに変更するので、精度よく省エネルギーを行うことができる。
【００６７】
特に、検出条件に関して、ユーザが実際に携帯電子機器１を使っている状態なのか否かを判断基準としているので、ユーザが携帯電子機器１を使用しない時は、すぐに省エネルギーモードとすることができ、より正確な条件による省エネルギーを行うことができる。
【００６８】
また、第１の省エネルギーモードでは、表示部２における表示出力と入力部３の光出力とをオフにするので、携帯電子機器１がユーザによって入力操作されない状態にある時の表示部２における表示出力と入力部３の光出力とによる電力消費を抑えることができる。
【００６９】
また、本実施の形態１では、検出部４に、対物センサ４０１〜４１０、照度センサ４２１〜４２６、加速度センサ４３が含まれている。特に、これらのセンサ（対物センサ４０１〜４１０、照度センサ４２１〜４２６、加速度センサ４３）による検出の組み合わせ（検出条件１−１〜１−７参照）に基づいて通常モードを第１の省エネルギーモードに変更しているので、これらのセンサ（対物センサ４０１〜４１０、照度センサ４２１〜４２６、加速度センサ４３）を用いた検出条件（検出条件１−１〜１−７参照）によって、検出部４による検出精度を上げることができる。
【００７０】
また、本実施の形態１では、検出制御の他に、入力部３からの入力操作がない状態で省エネルギーモード変更時間を経過した後、通常モードを第２の省エネルギーモードに変更する経過時間制御を併せ持っているので、従来技術の省エネルギー対応も行うことができる。その結果、省エネルギーの自由度を高めることができ、省エネルギー対策としてより好ましい形態となる。このように、本実施の形態１によれば、制御部５は、通常モードから前記第１の省エネルギーモードへの変更制御と、通常モードから第２の省エネルギーモードへの変更制御とを同時に行い、通常モードからいずれか一方の省エネルギーモードへの変更を行うので、第１の省エネルギーモードと、第２の省エネルギーモードとを共存させることができる。多種多様な使用状態が想定される携帯電子機器１に対して望ましい省エネルギー対策となる。
【００７１】
なお、本実施の形態１では、表示部２の表示出力および入力部３の光出力をオフしているが、これに限定されるものではなく、表示部２の表示出力および入力部３の光出力の出力レベルを低減もしくは、漸次低減させてもよい。
【００７２】
また、本実施の形態１では、通常モードを省エネルギーモードに変更した際に、表示部２における表示出力と入力部３の光出力とをオフにしているが、表示部２における表示出力と入力部３の光出力とを同時にオフすることに限定されるものではなく、入力部３の光出力をオフし、その後に表示部２における表示出力をオフしてもよいし、表示部２における表示出力をオフし、その後に入力部３の光出力をオフしてもよい。
【００７３】
また、本実施の形態１では、省エネルギーの対象となる外部出力として、表示部２における表示出力以外に、入力部３の出力部から出力される光出力を挙げているが、入力部３の出力部から出力される光出力に限定されるものではなく、表示部２以外の他の構成部材であって、その他の構成部材から出力するユーザの視覚に訴える外部出力であればよい。例えば、本体筺体１１の入力部３やその他の任意箇所（例えば本体筺体１１自体）に、表示データを映像出力する映像出力部を設け、この映像出力部からの３Ｄ画像（例えば、３Ｄボタンなど）や投影画像などの映像出力を、省エネルギーの対象とする外部出力としてもよい。
【００７４】
また、本実施の形態１にかかる携帯電子機器１では、本体筺体１１がストレート形状からなるが、これに限定されるものではなく、図４に示すように、２つの部材が回転軸部１１０により連結された折り畳み可能な折り畳み形状であってもよい。この本体筺体１１が折り畳み形状からなる携帯電子機器１について、実施の形態２として以下で説明する。
【００７５】
＜実施の形態２＞
次に、本実施の形態２にかかる携帯電子機器１を図面を用いて説明する。なお、本実施例２にかかる携帯電子機器１は、上記の実施の形態１に対して、本体筺体１１の形状と、検出部４と、入力部３と、検出条件などの点が異なる。そこで、本実施の形態２では、上記の実施の形態１と異なる構成について説明し、同一の構成についての説明を省略する。また、実施の形態１と同一構成による作用効果及び変形例は、実施の形態１と同様の作用効果及び変形例を有する。そのため、実施の形態１と同様の作用効果及び変形例の説明は省略する。
【００７６】
本実施の形態２にかかる携帯電子機器１では、図４（図４（ａ）〜図４（ｆ））に示すように、直方体の第１筺体１８と、直方体の第２筺体１９と、これら第１筺体１８と第２筺体１９とを回動可能に連結した回転軸部１１０とから本体筺体１１が構成される。この携帯電子機器１には、表示部２と入力部３と検出部４と、が設けられ、制御部５が備えられている。
【００７７】
表示部２は、図４（ａ）に示すように、第１筺体１８の表面１２の中央部に配されている。
【００７８】
入力部３は、６つのボタン３１〜３６から構成され、図４（ａ）に示すように、第２筺体１９の表面１２の中央部にマトリックス（Ｘ方向×Ｙ方向：２×３）に配されている。ボタン３１，３２は、第２筺体１９の表面１２に短手方向（Ｘ方向）に並んで配され、ボタン３３，３４は、第２筺体１９の表面１２に短手方向（Ｘ方向）に並んで配され、ボタン３５，３６は、第２筺体１９の表面１２に短手方向（Ｘ方向）に並んで配されている。また、ボタン３１，３３，３５は、第２筺体１９の表面１２に長手方向（Ｙ方向）に並んで配され、ボタン３２，３４，３６は、第２筺体１９の表面１２に長手方向（Ｙ方向）に並んで配されている。これらボタン３１〜３６の高さ（ボタン厚）は、図４（ｃ）〜図４（ｆ）に示すように、同一である。また、ボタン３１〜３６には、ＬＥＤなどの光源からなり、光による外部出力（光出力）を行う出力部（図示省略）が設けられている。
【００７９】
検出部４は、図４，５に示すように、１６つの対物センサ４０１〜４１６と、６つの照度センサ４２１〜４２６と、１つの加速度センサ４３と、携帯電子機器１の折り畳み軸の状態を検出する１つの折り畳みセンサ４４と、から構成されている。
【００８０】
対物センサ４０１〜４０４は、図４（ａ）に示すように、第１筺体１８の表面１２の四隅にそれぞれ配され、対物センサ４０９〜４１２は、図４（ｂ）に示すように、第１筺体１８の裏面１３の四隅にそれぞれ配されている。また、対物センサ４０５〜４０８は、図４（ａ）に示すように、第２筺体１９の表面１２の四隅にそれぞれ配され、対物センサ４１３〜４１６は、図４（ｂ）に示すように、第２筺体１９の裏面１３の四隅にそれぞれ配されている。
【００８１】
照度センサ４２１は、第２筺体１９の表面１２の上部に配されている。照度センサ４２２は、第１筺体１８の裏面１３の中央部に配されている。照度センサ４２３は、第１筺体１８の右側面１４の中央部に配されている。照度センサ４２４は、第１筺体１８の左側面１５の中央部に配されている。照度センサ４２５は、第１筺体１８の上面１６の中央部に配されている。照度センサ４２６は、第２筺体１９の下面１７の中央部に配されている。
【００８２】
加速度センサ４３は、第１筺体１８もしくは第２筺体１９に１つ配されていればよく、本実施の形態２では、第２筺体１９の中央部に内部に配されている（内蔵のため図４では符号省略、図５参照）。
【００８３】
折り畳みセンサ４４は、第１筺体１８もしくは第２筺体１９に１つ配されていればよく、本実施の形態２では、第２筺体１９の内部に配されている（内蔵のため図４では符号省略、図５参照）。この折り畳みセンサ４４は、例えば、第２筺体１９に接触部を設け、接触部が第１筺体に接触するか否かを検出し、この検出結果に基づいて携帯電子機器１が折り畳み状態であるか否かを検出するものである。
【００８４】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１の切替制御（変更）と同様である。そのため、本実施の形態２にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【００８５】
検出条件２−１：対物センサ４０１〜４１６が検出である場合、検出条件を満たしていると判断する。この場合、携帯電子機器１を、ポケットやカバンなどの中にあることなどが想定される。
【００８６】
検出条件２−２：対物センサ４０１〜４０８が検出であり、かつ、折り畳みセンサ４４が折り畳み状態を検出した場合、検出条件を満たしていると判断する。この場合、携帯電子機器１が折り畳んだ状態にあることが想定される。
【００８７】
検出条件２−３：対物センサ４０１〜４０８が検出であり、かつ、折り畳みセンサ４４が折り畳み状態を検出していない場合、検出条件を満たしていると判断する。この場合、携帯電子機器１が開いた状態で、表示部が下向きになっている状態などが想定される。
【００８８】
検出条件２−４：折り畳みセンサ４４が折り畳み状態を検出せず、さらに、照度センサ４２１〜４２６全てにおいて照度が無いこと（照度が０であること）を検出した場合、検出条件を満たしていると判断する。この場合、照度が０である（例えば消灯された）空間内に、開いた状態の携帯電子機器１が置かれていることなどが想定される。
【００８９】
検出条件２−５：照度センサ４２１〜４２６において照度が無いこと（照度が０であること）を検出した場合、検出条件を満たしていると判断する。この場合、照度が０である（例えば消灯された）空間内に携帯電子機器１が置かれていることなどが想定される。
【００９０】
検出条件２−６：対物センサ４０１〜４１６が検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【００９１】
なお、上記の検出条件２−１〜２−６は、入力部３からの入力操作がないことの条件であり、これらは好適な例であり、検出条件は、検出条件２−１〜２−６に限定されるものではなく、入力部３からの入力操作がないと判断できる検出部４の他の検出に基づく条件であってもよい。
【００９２】
また、上記の実施の形態１，２にかかる携帯電子機器１では、本体筺体１１がストレート形状もしくは、本体筺体１１が折り畳み形状からなるが、これに限定されるものではなく、図６に示すように、２つの部材がスライド可能な機構（図示省略）により連結されたスライド形状であってもよい。この本体筺体１１がスライド形状からなる携帯電子機器１について、実施の形態３として以下で説明する。
【００９３】
＜実施の形態３＞
次に、本実施の形態３にかかる携帯電子機器１を図面を用いて説明する。なお、本実施例３にかかる携帯電子機器１は、上記の実施の形態１に対して、本体筺体１１の形状と、検出部４と、入力部３と、検出条件などの点が異なる。そこで、本実施の形態３では、上記の実施の形態１と異なる構成について説明し、同一の構成についての説明を省略する。また、実施の形態１と同一構成による作用効果及び変形例は、実施の形態１と同様の作用効果及び変形例を有する。そのため、実施の形態１と同様の作用効果及び変形例の説明は省略する。
【００９４】
本実施の形態３にかかる携帯電子機器１では、図６（図６（ａ）〜図６（ｆ））に示すように、直方体の第１筺体１８と、直方体の第２筺体１９と、第１筺体１８を第２筺体１９に対して（もしくは第２筺体１９を第１筺体１８に対して）Ｙ方向にスライド可能に連結したスライド機構（図示省略）と、から本体筺体１１が構成される。この携帯電子機器１には、表示部２と入力部３と検出部４と、が設けられ、制御部５が備えられている。
【００９５】
表示部２は、図６（ａ）に示すように、第１筺体１８の表面１２の中央部に配されている。
【００９６】
入力部３は、６つのボタン３１〜３６から構成され、図６（ａ）に示すように、第２筺体１９の表面１２の中央部にマトリックス（Ｘ方向×Ｙ方向：２×３）に配されている。タン３１，３２は、第２筺体１９の表面１２に短手方向（Ｘ方向）に並んで配され、ボタン３３，３４は、第２筺体１９の表面１２に短手方向（Ｘ方向）に並んで配され、ボタン３５，３６は、第２筺体１９の表面１２に短手方向（Ｘ方向）に並んで配されている。また、ボタン３１，３３，３５は、第２筺体１９の表面１２に長手方向（Ｙ方向）に並んで配され、ボタン３２，３４，３６は、第２筺体１９の表面１２に長手方向（Ｙ方向）に並んで配されている。これらボタン３１〜３６の高さ（ボタン厚）は、図６（ｃ），図６（ｄ），図６（ｆ）に示すように、同一である。また、ボタン３１〜３６には、ＬＥＤなどの光源からなり、光による外部出力（光出力）を行う出力部（図示省略）が設けられている。
【００９７】
検出部４は、図６，７に示すように、１２つの対物センサ４０１〜４１２と、６つの照度センサ４２１〜４２６と、１つの加速度センサ４３と、携帯電子機器１のスライド機構の状態を検出する１つのスライドセンサ４５と、から構成されている。
【００９８】
対物センサ４０１〜４０４は、図６（ａ）に示すように、第１筺体１８の表面１２の四隅にそれぞれ配され、対物センサ４０７，４０８は、図６（ｂ）に示すように、第１筺体１８の裏面１３の上部の二つの隅にそれぞれ配されている。また、対物センサ４０５，４０６は、図６（ａ）に示すように、第２筺体１９の表面１２の下部の二つの隅にそれぞれ配され、対物センサ４０９〜４１２は、図６（ｂ）に示すように、第２筺体１９の裏面１３の四隅にそれぞれ配されている。
【００９９】
照度センサ４２１は、第１筺体１８の表面１２の下部に配されている。照度センサ４２２は、第２筺体１９の裏面の中央部に配されている。照度センサ４２３は、第１筺体１８の右側面１４の中央部に配されている。照度センサ４２４は、第１筺体１８の左側面１５の中央部に配されている。照度センサ４２５は、第１筺体１８の上面１６の中央部に配されている。照度センサ４２６は、第２筺体１９の下面１７の中央部に配されている。
【０１００】
加速度センサ４３は、第１筺体１８もしくは第２筺体１９に１つ配されていればよく、本実施の形態３では、第２筺体１９の中央部に内部に配されている（内蔵のため図６では符号省略、図７参照）。
【０１０１】
スライドセンサ４５は、第１筺体１８もしくは第２筺体１９に１つ配されていればよく、本実施の形態３では、第２筺体１９の内部に配されている（内蔵のため図６では符号省略、図７参照）。このスライドセンサ４５は、例えば、第２筺体１９にスライドピン（図示省略）を設け、第１筺体１８に、スライドピンの移動を規制するスライド溝（図示省略）を設け、スライドピンのスライド溝の位置によって開方向にスライドされたのか、閉方向にスライドされたのかを検出し、この検出結果に基づいてスライド機構による携帯電子機器１の開状態と閉状態とを検出するものである。
【０１０２】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１の切替制御（変更）と同様である。そのため、本実施の形態３にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【０１０３】
検出条件３−１：対物センサ４０１〜４１２が検出である場合、検出条件を満たしていると判断する。この場合、携帯電子機器１を、ポケットやカバンなどの中にあることなどが想定される。
【０１０４】
検出条件３−２：対物センサ４０９〜４１２が検出であり、かつ、スライドセンサ４５がスライド機構の閉状態を検出した場合、検出条件を満たしていると判断する。この場合、スライド機構が閉状態の携帯電子機器１が置かれていることが想定される。
【０１０５】
検出条件３−３：対物センサ４０１〜４０６が検出であり、かつ、スライドセンサ４５がスライド機構の開状態を検出した場合、検出条件を満たしていると判断する。この場合、スライド機構が開状態の携帯電子機器１が、表示部２を下向きにした状態であることなどが想定される。
【０１０６】
検出条件３−４：スライドセンサ４５が閉状態を検出せず、さらに、照度センサ４２１〜４２６全てにおいて照度が無いこと（照度が０であること）を検出した場合、検出条件を満たしていると判断する。この場合、照度が０である（例えば消灯された）空間内に、携帯電子機器１が置かれていることなどが想定される。
【０１０７】
検出条件３−５：照度センサ４２１〜４２６において照度が無いこと（照度が０であること）を検出した場合、検出条件を満たしていると判断する。この場合、照度が０である（例えば消灯された）空間内に携帯電子機器１が置かれていることなどが想定される。
【０１０８】
検出条件３−６：対物センサ４０１〜４１２が検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【０１０９】
なお、上記の検出条件３−１〜３−６は、入力部３からの入力操作がないことの条件であり、これらは好適な例であり、検出条件は、検出条件３−１〜３−６に限定されるものではなく、入力部３からの入力操作がないと判断できる検出部４の他の検出に基づく条件であってもよい。
【０１１０】
また、上記の実施の形態１〜３では、入力部３の各ボタン３１〜３６の光出力を制御部５によって一括制御しているが、これに限定されるものではなく、入力部３の各ボタン３１〜３６の光出力を制御部５によって個別に制御してもよい。この構成による好適な携帯電子機器１として、図８に示すようなＰＣなどの情報端末機器に用いるキーボードを挙げることができる。この図８に示す携帯電子機器１について、実施の形態４として以下で説明する。
【０１１１】
＜実施の形態４＞
次に、本実施の形態４にかかる携帯電子機器１を図面を用いて説明する。なお、本実施例４にかかる携帯電子機器１は、上記の実施の形態１に対して、本体筺体１１の形状と、検出部４と、入力部３と、検出条件などの点が異なる。そこで、本実施の形態４では、上記の実施の形態１と異なる構成について説明し、同一の構成についての説明を省略する。また、実施の形態１と同一構成による作用効果及び変形例は、実施の形態１と同様の作用効果及び変形例を有する。そのため、実施の形態１と同様の作用効果及び変形例の説明は省略する。
【０１１２】
本実施の形態４にかかる携帯電子機器１では、図８（図８（ａ）〜図８（ｆ））に示すように、本体筺体１１に、表示部２と入力部３と検出部４と、が設けられ、制御部５が備えられている。
【０１１３】
表示部２は、図８（ａ）に示すように、本体筺体１１の表面１２の中央部に配されている。
【０１１４】
入力部３は、表示部２の両側に配された第１入力グループ３１０と第２入力グループ３２０とから構成される。第１入力グループ３１０では、電源等のキーボードの主要動作に関連する３つのボタン３１〜３３がＹ方向に並んで配されている。第２入力グループ３２０は、ショートカット動作などのキーボードで操作する情報端末機器の動作に関連する６つのボタン３４〜３９がマトリックス（Ｘ方向×Ｙ方向：２×３）に並んで配されている。これらボタン３１〜３９の高さ（ボタン厚）は、図８（ｃ）〜図８（ｆ）に示すように、同一である。また、ボタン３１〜３９には、ＬＥＤなどの光源からなり、光による外部出力（光出力）を行う出力部（図示省略）が設けられている。
【０１１５】
検出部４は、図８，９に示すように、１２この対物センサ４０１〜４１２と、６つの照度センサ４２１〜４２６と、１つの加速度センサ４３と、から構成されている。
【０１１６】
対物センサ４０１，４０３，４０５，４０６は、本体筺体１１の表面１２の第１入力グループ３１０を囲むように第１入力グループ３１０の四隅にそれぞれ配されている。対物センサ４０２，４０４，４０７，４０８は、本体筺体１１の表面１２の第２入力グループ３２０を囲むように第２入力グループ３２０の四隅にそれぞれ配されている。対物センサ４０１〜４０４は、本体筺体１１の表面１２の表示部２を囲むように表示部２の四隅にそれぞれ配されている。
【０１１７】
照度センサ４２１は、本体筺体１１の表面１２における表示部２の下部に配されている。照度センサ４２２は、本体筺体１１の裏面の中央部に配されている。照度センサ４２３は、本体筺体１１の右側面１４の中央部に配されている。照度センサ４２４は、本体筺体１１の左側面１５の中央部に配されている。照度センサ４２５は、本体筺体１１の上面１６の中央部に配されている。照度センサ４２６は、本体筺体１１の下面１７の中央部に配されている。
【０１１８】
加速度センサ４３は、本体筺体１１に１つ配されていればよく、本実施の形態４では、本体筺体１１の中央部に内部に配されている（内蔵のため図８では符号省略、図９参照）。
【０１１９】
また、この携帯電子機器１では、入力部３の第１入力グループ３１０と第２入力グループ３２０とでは、省エネルギーモード時の光出力の動作が異なるように、制御部９にて制御する。
【０１２０】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１の切替制御（変更）と同様である。そのため、本実施の形態４にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【０１２１】
検出条件４−１：対物センサ４０１〜４１２が検出である場合、検出条件を満たしていると判断する。この場合、携帯電子機器１を、ポケットやカバンなどの中にあることなどが想定される。
【０１２２】
検出条件４−２：対物センサ４０１〜４０８が検出であり、かつ、加速度センサ４３にて表面１２が垂直下方向に向いていることを検出した場合、検出条件を満たしていると判断する。この場合、携帯電子機器１を、その表面１２を机上に向けて机に置いていることなどが想定される。
【０１２３】
検出条件４−３：対物センサ４０１〜４１２が検出であり、かつ、加速度センサ４３にて表面１２が垂直上方向に向いていることを検出した場合、検出条件を満たしていると判断する。この場合、携帯電子機器１の表面１２上に障害物（雑誌など）が置かれていることなどが想定される。
【０１２４】
検出条件４−４：照度センサ４２１〜４２６全てにおいて照度が無いこと（照度が０であること）を検出した場合、検出条件を満たしていると判断する。この場合、照度が０である（例えば消灯された）空間内に携帯電子機器１が置かれていることなどが想定される。
【０１２５】
検出条件４−５：対物センサ４０１〜４１２全てが検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【０１２６】
なお、上記の検出条件４−１〜４−５は、入力部３からの入力操作がないことの条件であり、これらは好適な例であり、検出条件は、検出条件４−１〜４−５に限定されるものではなく、入力部３からの入力操作がないと判断できる検出部４の他の検出に基づく条件であってもよい。
【０１２７】
また、上記の実施の形態１〜４では、表示部２と入力部３とが別部材となっているが、これに限定されるものではなく、図１０に示すように、表示部２と入力部３とが同一部材（図１０の符号６参照）からなってもよい。この図１０に示す携帯電子機器１について、実施の形態５として以下で説明する。
【０１２８】
＜実施の形態５＞
次に、本実施の形態５にかかる携帯電子機器１を図面を用いて説明する。なお、本実施例５にかかる携帯電子機器１は、上記の実施の形態１〜３に対して、構成部材（特に、表示部と入力部との関係）や検出条件などの点が異なる。そこで、本実施の形態５では、上記の実施の形態１〜４と異なる構成について説明し、同一の構成についての説明を省略する。また、実施の形態１〜４と同一構成による作用効果及び変形例は、実施の形態１と同様の作用効果及び変形例を有する。そのため、実施の形態１〜４と同様の作用効果及び変形例の説明は省略する。
【０１２９】
本実施の形態５にかかる携帯電子機器１では、図１０（図１０（ａ）〜図１０（ｆ））に示すように、本体筺体１１に、各種情報を表示し、かつ、ユーザが入力操作を行う表示入力部６と、検出部４と、が設けられ、制御部５が備えられている。
【０１３０】
表示入力部６には、ユーザが表示入力部６に直接触ることで、入力操作を行うことができるタッチパネルが用いられ、図１０（ａ）に示すように、表示入力部６は本体筺体１１の表面１２の中央部に配されている。すなわち、表示入力部６は、上記の実施の形態１〜４の表示部２と入力部３との機能を兼ね備えている。
【０１３１】
この表示入力部６には、抵抗膜方式のタッチセンサ、表面弾性派方式のタッチセンサ、赤外線方式のタッチセンサ、電磁誘導方式のタッチセンサ、または静電容量方式のタッチセンサなどのタッチセンサ４６が内蔵されている（内蔵のため図１０では符号省略、図１１参照）。
【０１３２】
検出部４は、図１０，１１に示すように、８つの対物センサ４０１〜４０８と、６つの照度センサ４２１〜４２６と、１つの加速度センサ４３と、１つのタッチセンサ４６と、から構成されている。
【０１３３】
対物センサ４０１〜４０４は、図１０（ａ）に示すように、本体筺体１１の表面１２の四隅にそれぞれ配されている。対物センサ４０５〜４０８は、図１０（ｂ）に示すように、本体筺体１１の裏面１３の四隅にそれぞれ配されている。
【０１３４】
照度センサ４２１は、本体筺体１１の表面１２の下部に配されている。照度センサ４２２は、本体筺体１１の裏面の中央部に配されている。照度センサ４２３は、本体筺体１１の右側面１４の中央部に配されている。照度センサ４２４は、本体筺体１１の左側面１５の中央部に配されている。照度センサ４２５は、本体筺体１１の上面１６の中央部に配されている。照度センサ４２６は、本体筺体１１の下面１７の中央部に配されている。
【０１３５】
加速度センサ４３は、本体筺体１１に１つ配されていればよく、本実施の形態４では、本体筺体１１の中央部に内部に配されている（内蔵のため図１０では符号省略、図１１参照）。
【０１３６】
本実施の形態５にかかる制御部５では、表示入力部６における光出力（外部出力）と、表示出力と、ユーザによるデータの入力とを個別に制御している。そのため、表示入力部６における光出力をオフにした状態であっても、表示出力をオンにすることができ、ユーザによる入力操作を行うことができる。
【０１３７】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１〜４の切替制御（変更）と同様である。そのため、本実施の形態４にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【０１３８】
検出条件５−１：対物センサ４０１〜４０８が検出である場合、検出条件を満たしていると判断する。この場合、携帯電子機器１を、ポケットやカバンなどの中にあることなどが想定される。
【０１３９】
検出条件５−２：対物センサ４０１〜４０４が検出であり、かつ、加速度センサ４３にて表面１２が垂直下方向に向いていることを検出した場合、検出条件を満たしていると判断する。この場合、携帯電子機器１を、その表面１２を机上に向けて机に置いていることなどが想定される。
【０１４０】
検出条件５−３：対物センサ４０１〜４０８が検出であり、かつ、加速度センサ４３にて表面１２が垂直上方向に向いていることを検出した場合、検出条件を満たしていると判断する。この場合、携帯電子機器１の表面１２上に障害物（雑誌など）が置かれていることなどが想定される。
【０１４１】
検出条件５−４：照度センサ４２１〜４２６において照度が無いこと（照度が０であること）を検出した場合、検出条件を満たしていると判断する。この場合、照度が０である（例えば消灯された）空間内に携帯電子機器１が置かれていることなどが想定される。
【０１４２】
検出条件５−５：対物センサ４０１〜４０８が検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【０１４３】
なお、上記の検出条件５−１〜５−５は、入力部３からの入力操作がないことの条件であり、これらは好適な例であり、検出条件は、検出条件５−１〜５−５に限定されるものではなく、入力部３からの入力操作がないと判断できる検出部４の他の検出に基づく条件であってもよい。
【０１４４】
また、上記の通り、本実施の形態１〜５では、携帯電子機器１を映像機器のリモートコントローラや、ＰＣなどに用いるキーボードなどに適用しているが、これに限定されるものではなく、他の検出条件を制御対象とするものであってもよい。
【０１４５】
例えば、検出部４に温度センサや風量センサが含まれ、温度や風量を制御対象とするもエアコンなどの空調機器のリモートコントローラに適用してもよい。また、検出部４に湿度センサが含まれ、湿度を制御対象とする加湿器や、除湿器、エアコンなどの空調機器のリモートコントローラに適用してもよい。次に、このような温度、湿度、および風量を制御対象とする携帯電子機器１について、実施の形態６として以下で説明する。
【０１４６】
＜実施の形態６＞
次に、本実施の形態６にかかる携帯電子機器１を図面を用いて説明する。なお、本実施例６にかかる携帯電子機器１は、上記の実施の形態１に対して、検出部４や検出条件などの点が異なる。そこで、本実施の形態６では、上記の実施の形態１と異なる構成について説明し、同一の構成についての説明を省略する。また、実施の形態１と同一構成による作用効果及び変形例は、実施の形態１と同様の作用効果及び変形例を有する。そのため、実施の形態１と同様の作用効果及び変形例の説明は省略する。
【０１４７】
本実施の形態６にかかる携帯電子機器１は、空調機器のリモートコントローラであり、図１２（図１２（ａ）〜図１２（ｆ））に示すように、本体筺体１１に、表示部２と入力部３と検出部４とが設けられ、制御部５が備えられている。
【０１４８】
表示部２は、図１２（ａ）に示すように、本体筺体１１の表面１２の上部に配されている。
【０１４９】
入力部３は、４つのボタン３１〜３４から構成され、図１２（ａ）に示すように、本体筺体１１の表面１２の下部にマトリックス（Ｘ方向×Ｙ方向：２×２）に配されている。また、ボタン３１〜３４には、ＬＥＤなどの光源からなり、光による外部出力（光出力）を行う出力部（図示省略）が設けられている。
【０１５０】
検出部４は、図１２，１３に示すように、１０つの対物センサ４０１〜４１０と、６つの照度センサ４２１〜４２６と、１つの加速度センサ４３と、１つの温度センサ４７と、１つの湿度センサ４８と、１つの風量センサ４９と、から構成されている。
【０１５１】
対物センサ４０１〜４０４は、本体筺体１１の表面１２の表示部２を囲むように表示部２の四隅にそれぞれ配されている。対物センサ４０３〜４０６は、本体筺体１１の表面１２の入力部３を囲むように入力部３の四隅にそれぞれ配されている。対物センサ４０７〜４１０は、本体筺体１１の裏面１３の四隅に配されている。
【０１５２】
照度センサ４２１は、本体筺体１１の表面１２の中央部に配されている。照度センサ４２２は、本体筺体１１の裏面の中央部に配されている。照度センサ４２３は、本体筺体１１の右側面１４の中央部に配されている。照度センサ４２４は、本体筺体１１の左側面１５の中央部に配されている。照度センサ４２５は、本体筺体１１の上面１６の中央部に配されている。照度センサ４２６は、本体筺体１１の下面１７の中央部に配されている。
【０１５３】
加速度センサ４３は、本体筺体１１に１つ配されていればよく、本実施の形態６では、本体筺体１１の中央部に内部に配されている（内蔵のため図１２では符号省略、図１３参照）。
【０１５４】
温度センサ４７は、本体筺体１１に１つ配されていればよく、本実施の形態６では、本体筺体１１の中央部に内部に配されている（内蔵のため図１２では符号省略、図１３参照）。
【０１５５】
湿度センサ４８は、本体筺体１１に１つ配されていればよく、本実施の形態６では、本体筺体１１の中央部に内部に配されている（内蔵のため図１２では符号省略、図１３参照）。
【０１５６】
風量センサ４９は、本体筺体１１に１つ配されていればよく、本実施の形態６では、本体筺体１１の上面の隅部に配されている。
【０１５７】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１〜５の切替制御（変更）と同様である。そのため、本実施の形態６にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【０１５８】
検出条件６−１：対物センサ４０１〜４１０が検出である場合、検出条件を満たしていると判断する。この場合、携帯電子機器１を、収納ボックスなどの中にあることなどが想定される。
【０１５９】
検出条件６−２：対物センサ４０１〜４０６が検出であり、かつ、加速度センサ４３にて表面１２が垂直下方向に向いていることを検出した場合、検出条件を満たしていると判断する。この場合、携帯電子機器１を、その表面１２を机上に向けて机に置いていることなどが想定される。
【０１６０】
検出条件６−３：対物センサ４０１〜４１０が検出であり、かつ、加速度センサ４３にて表面１２が垂直上方向に向いていることを検出した場合、検出条件を満たしていると判断する。この場合、携帯電子機器１の表面１２上に障害物（雑誌など）が置かれていることなどが想定される。
【０１６１】
検出条件６−４：照度センサ４２１〜４２６全てにおいて照度が無いこと（照度が０であること）を検出した場合、検出条件を満たしていると判断する。この場合、照度が０である（例えば消灯された）空間内に携帯電子機器１が置かれていることなどが想定される。
【０１６２】
検出条件６−５：対物センサ４０１〜４１０が検出であり、かつ、照度センサ４２１〜４２６のうち１つの照度が高く、その他の照度が低いことを検出した場合、検出条件を満たしていると判断する。この場合、携帯電子機器１が、１つの開口を有する収納ボックスなどに入れられていることなどが想定される。
【０１６３】
なお、上記の検出条件６−１〜６−５は、入力部３からの入力操作がないことの条件であり、これらは好適な例であり、検出条件は、検出条件６−１〜６−５に限定されるものではなく、入力部３からの入力操作がないと判断できる検出部４の他の検出に基づく条件であってもよい。
【０１６４】
また、上記の実施の形態１〜６では、携帯電子機器１として、映像機器や空調機器のリモートコントローラや、ＰＣなどに用いるキーボードに適用しているが、これに限定されるものではなく、図１４に示すように、音楽プレイヤーなどの音響機器の本体に適用してもよい。この図１４に示す携帯電子機器１について、実施の形態７として以下で説明する。
【０１６５】
＜実施の形態７＞
次に、本実施の形態７にかかる携帯電子機器１を図面を用いて説明する。なお、本実施例７にかかる携帯電子機器１は、上記の実施の形態１に対して、本体筺体１１の形状と、検出部４と、入力部３と、検出条件などの点が異なる。そこで、本実施の形態７では、上記の実施の形態１と異なる構成について説明し、同一の構成についての説明を省略する。また、実施の形態１と同一構成による作用効果及び変形例は、実施の形態１と同様の作用効果及び変形例を有する。そのため、実施の形態１と同様の作用効果及び変形例の説明は省略する。
【０１６６】
本実施の形態７にかかる携帯電子機器１では、図１４，図１５（図１５（ａ）〜図１５（ｆ））に示すように、本体筺体１１に、表示部２と入力部３と検出部４と、が設けられ、制御部５が備えられている。さらに携帯電子機器１には、携帯電子機器１の入力操作が可能な外部入力部（ボタン７１１，７１２を設けたリモートコントローラ７１）と、携帯電子機器１の外部出力が可能な外部出力部（イヤホン７２）とを有する外部機器７が接続可能に設けられている。
【０１６７】
表示部２は、図１５（ａ）に示すように、本体筺体１１の表面１２に配されている。
【０１６８】
入力部３は、２つのボタン３１，３２から構成され、図１５（ａ）に示すように、本体筺体１１の表面１２に短手方向（Ｙ方向）に並んで配されている。ボタン３１，３２の高さ（ボタン厚）は、図１５（ｃ）〜図１５（ｆ）に示すように、同一である。また、ボタン３１，３２には、ＬＥＤなどの光源からなり、光による外部出力（光出力）を行う出力部（図示省略）が設けられている。
【０１６９】
検出部４は、図１５，１６に示すように、１０つの対物センサ４０１〜４１０と、６つの照度センサ４２１〜４２６と、１つの加速度センサ４３とから構成されている。
【０１７０】
対物センサ４０１，４０３，４０５，４０６は、本体筺体１１の表面１２の入力部３を囲むように入力部３の四隅にそれぞれ配されている。対物センサ４０１〜４０４は、本体筺体１１の表面１２の表示部２を囲むように表示部２の四隅に配されている。対物センサ４０７〜４１０は、本体筺体１１の裏面１３の四隅にそれぞれ配されている。
【０１７１】
照度センサ４２１は、本体筺体１１の表面１２における表示部２の中央部に配されている。照度センサ４２２は、本体筺体１１の裏面の中央部に配されている。照度センサ４２３は、本体筺体１１の右側面１４の中央部に配されている。照度センサ４２４は、本体筺体１１の左側面１５の中央部に配されている。照度センサ４２５は、本体筺体１１の上面１６の中央部に配されている。照度センサ４２６は、本体筺体１１の下面１７の中央部に配されている。
【０１７２】
加速度センサ４３は、本体筺体１１に１つ配されていればよく、本実施の形態７では、本体筺体１１の中央部に内部に配されている（内蔵のため図１５では符号省略、図１６参照）。
【０１７３】
外部機器７は、図１４に示すように、携帯電子機器１のリモートコントローラ７１とイヤホン７２であり、有線にて携帯電子機器１に接続される。なお、本実施の形態７では、外部機器７を有線にて携帯電子機器１に接続可能としているが、これに限定されるものではなく、無線にて携帯電子機器１に接続可能としてもよい。
【０１７４】
この携帯電子機器１の制御部５による省エネルギーモードは、検出制御をモード変更の対象とする第１の省エネルギーモードと、経過時間制御をモード変更の対象とする第２の省エネルギーモードとから構成され、通常モードから省エネルギーモードへの切替制御（変更）は、検出条件を除いて上記の実施の形態１の切替制御（変更）と同様である。そのため、本実施の形態７にかかる携帯電子機器１の電力モードの切替制御（変更）は、図３に示すフローチャートの切替制御と同じであり、以下の説明では検出条件だけを説明し、通常モードから省エネルギーモードへの切替制御の説明は省略する。
【０１７５】
検出条件７−１：対物センサ４０１〜４１０が検出である場合、検出条件を満たしていると判断する。この場合、携帯電子機器１を、ポケットやカバンなどの中にあることなどが想定される。
【０１７６】
検出条件７−２：対物センサ４０１〜４０６が検出であり、かつ、加速度センサ４３にて表面１２が垂直下方向に向いていることを検出した場合、検出条件を満たしていると判断する。この場合、携帯電子機器１を、その表面１２を机上に向けて机に置いていることなどが想定される。
【０１７７】
検出条件７−３：対物センサ４０１〜４１０が検出であり、かつ、加速度センサ４３にて表面１２が垂直上方向に向いていることを検出した場合、検出条件を満たしていると判断する。この場合、携帯電子機器１の表面１２上に障害物（雑誌など）が置かれていることなどが想定される。
【０１７８】
検出条件７−４：照度センサ４２１〜４２６全てにおいて照度が無いこと（照度が０であること）を検出した場合、検出条件を満たしていると判断する。この場合、照度が０である（例えば消灯された）空間内に携帯電子機器１が置かれていることなどが想定される。
【０１７９】
検出条件７−５：対物センサ４０１〜４１０が検出であり、かつ、照度センサ４２１〜４２６のうち１つの照度が高く、その他の照度が低いことを検出した場合、検出条件を満たしていると判断する。この場合、携帯電子機器１が、１つの開口を有する鞄や袋に入れられていることなどが想定される。
【０１８０】
なお、上記の検出条件７−１〜７−５は、入力部３からの入力操作がないことの条件であり、これらは好適な例であり、検出条件は、検出条件７−１〜７−５に限定されるものではなく、入力部３からの入力操作がないと判断できる検出部４の他の検出に基づく条件であってもよい。
【０１８１】
また、本実施の形態７では、省エネルギーモードに表示部２の表示出力や入力部３の光出力のオフを行っているが、これに加えて、携帯電子機器１に外部接続されたリモートコントローラ７１だけは電源をオンにして操作可能としてもよく、リモートコントローラ７１のボタン７１１，７１２による携帯電子機器１の操作ができる。
【０１８２】
なお、本発明は、その精神や主旨または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【０１８３】
本発明は、様々な携帯電子機器に適用できる。
【符号の説明】
【０１８４】
１  携帯電子機器
１１  本体筺体
１２  表面
１３  裏面
１４  右側面
１５  左側面
１６  上面
１７  下面
１８  第１筺体
１９  第２筺体
１１０  回転軸部
２  表示部
３  入力部
３１〜３９  ボタン
３１０  第１入力グループ
３２０  第２入力グループ
４  検出部
４０１〜４１６  対物センサ
４２１〜４２６  照度センサ
４３  加速度センサ
４４  折り畳みセンサ
４５  スライドセンサ
４６  タッチセンサ
４７  温度センサ
４８  湿度センサ
４９  風量センサ
５  制御部
６  表示入力部
７  外部機器
７１  リモートコントローラ
７１１，７１２  ボタン
７２  イヤホン
【図１】
0005725949.tif 000002
【図２】
0005725949.tif 000003
【図３】
0005725949.tif 000004
【図４】
0005725949.tif 000005
【図５】
0005725949.tif 000006
【図６】
0005725949.tif 000007
【図７】
0005725949.tif 000008
【図８】
0005725949.tif 000009
【図９】
0005725949.tif 000010
【図１０】
0005725949.tif 000011
【図１１】
0005725949.tif 000012
【図１２】
0005725949.tif 000013
【図１３】
0005725949.tif 000014
【図１４】
0005725949.tif 000015
【図１５】
0005725949.tif 000016
【図１６】
0005725949.tif 000017